(57)【要約】【課題】電球に被せられたシェードが建物の梁や桁などから吊り下げられた電灯用コードやチェーンなどに取り付けられている場合に、その電球のシェードを動かないように保持し、電球交換具の操作棒の上端に設けられた挟み部で電球を挟むときに、そのシェードと一緒に逃げないようにして、電球を挟み込むことができるようにした電球交換用シェード保持具を提供する。【解決手段】長尺の操作体１と、この操作体１の上端に設けられる保持アーム２を備え、この保持アーム２は、電球ＢのシェードＳを、弾力を付与させるようにして保持すると共に、保持アーム２の操作線条３により、前記操作体１の下端側からの遠隔操作によって、前記付与させた弾力を解放できるようにしたものとしている。【選択図】図７
2010251240.tif 000002
【特許請求の範囲】
【請求項１】
長尺の操作体（１）と、この操作体（１）の上端に設けられる保持アーム（２）を備え、この保持アーム（２）は、電球（Ｂ）のシェード（Ｓ）を、弾力を付与させるようにして保持すると共に、保持アーム（２）の操作線条（３）により、前記操作体（１）の下端側からの遠隔操作によって、前記付与させた弾力を解放できるようにしたことを特徴とする電球交換用シェード保持具。
【請求項２】
前記保持アーム（２）は、放射状に配置された複数本のそれぞれのアーム体（２ａ）の上端部に保持部材（６）を設け、これらアーム体（２ａ）に前記弾力を付与する弾力付与機構（７）を、これらアーム体（２ａ）の下端部に設けたものとしたことを特徴とする請求項１記載の電球交換用シェード保持具。
【請求項３】
前記保持部材（６）は、押え部（６ａ）と支え部（６ｂ）により略Ｌ字状に形成され、前記アーム体（２ａ）の上端部に揺動自在として設けられ、押え部（６ａ）と支え部（６ｂ）の間に位置する窪み部（１０）に前記シェード（Ｓ）の下周端部（Ｓａ）を入り込ませるようにしており、前記保持アーム（２）に弾力を付与させたときは、前記押え部（６ａ）が前記シェード（Ｓ）の下周壁部（Ｓｂ）を押圧するようにし、前記保持アーム（２）に付与させた弾力を解放したときは、前記押え部（６ａ）が前記シェード（Ｓ）の下周壁部（Ｓｂ）から離間するようにしたことを特徴とする請求項１記載の電球交換用シェード保持具。
【請求項４】
前記弾力付与機構（７）は、ベース体（１２）、スライド体（１３）、スライドコア（１４）を備え、ベース本体（１２）が操作体（１）の上端に固着され、このベース体（１２）の上端にスライド体（１３）が固着され、このスライド体（１３）にスライドコア（１４）が上方向に常にバネ付勢された状態で、上下に摺動自在として取り付けられ、スライド体（１３）の上端に前記複数のアーム体（２ａ）の下端を、これらアーム体（２ａ）が放射状に開放するようにして軸支し、前記複数のアーム体（２ａ）の中間部にリンク（４）の一端をそれぞれ軸支し、これらリンク（４）の他端を前記スライドコア（１４）の側周壁にそれぞれ軸支したものとしたことを特徴とする請求項２記載の電球交換用シェード保持具。
【請求項５】
前記スライド体（１３）を略半円筒体（１８）とし、この略半円筒体（１８）の側周壁の内面（１８ｂ）を、電球交換具（Ｅ）の操作棒（３１）のスライド溝としたことを特徴とする請求項４記載の電球交換用シェード保持具。
【発明の詳細な説明】
【技術分野】
【０００１】
この発明は、高い天井などに吊り下げられた照明器具の電球の交換の際に、その照明器具のシェードを揺れないように保持しておくための電球交換用シェード保持具に関するものである。
【背景技術】
【０００２】
従来、高い天井などに配置された電球の交換の際には、電球交換具Ｅを使用している。この電球交換具Ｅは、例えば図９に示したように、長い竿などとした操作棒３１と、この操作棒３１の上端に設けられる弾性部材からなる電球挟み部３２とから構成されたものなどとしている（特許文献１、特許文献２、非特許文献１）。
【０００３】
この電球交換具Ｅは、操作棒３１の下端を手に握り、挟み部３２を高い天井などに配置された電球の真下に近付け、この電球を挟み込む。次に、操作棒３１を回転させて、この電球を天井などから外し、手元に引き寄せ、挟み部３２から取り去る。そして、新しい電球をその挟み部３２に挟み込み、天井などの元の位置に戻し、再び操作棒３１を回転させながら、この新しい電球を天井などの元に位置に取り付けるようにしている。
【０００４】
さらに、前記電球交換具Ｅを使用しない場合には、電球の直下に高所作業台を組立設置し、その上に作業者が乗って電球交換をしていた。また、高所作業台を組立設置する代わりに、高所作業車を現場に導入する場合もある。
【先行技術文献】
【特許文献】
【０００５】
【特許文献１】特開平７−１４５５９号公報
【特許文献２】特開平１０−２７５８３号公報
【非特許文献】
【０００６】
【非特許文献１】ジェフコム株式会社、２００７年版「総合カタログ」Ｖｏｌ. １２（第１５４ページ）
【発明の概要】
【発明が解決しようとする課題】
【０００７】
しかしながら、上記従来の電球交換具Ｅでは、天井などに配置された電球に被せられたシェードが、建物の梁や桁などに直接、固定されている場合には、操作棒３１の上端に設けられた挟み部３２で電球を挟むときにもその電球が逃げることなく問題がない。しかし、図９に示したように、そのシェードＳが建物の梁や桁などから吊り下げられた電灯用コードやチェーンなどに取り付けられている場合には、その挟み具３２で電球Ｂを挟もうとすると、その電球ＢがシェードＳと一緒に逃げてしまい、挟むことができないという問題点を有する。
【０００８】
さらに、上記従来の高所作業台を組立設置する場合には、その作業台を組立設置するために、ある程度広い平らなスペースが必要であり、どこでも可能ということはなかった。また、この高所作業台を組立設置したり、高所作業車を現場に導入する場合には、いずれも広い場所が必要であるばかりか、作業時間もかなりかかり、人件費と設備費用を考慮すると、高額な費用負担となっていた。
【０００９】
そこで、この発明は、電球に被せられたシェードが建物の梁や桁などから吊り下げられた電灯用コードやチェーンなどに取り付けられている場合に、その電球のシェードを動かないように保持し、電球交換具の操作棒の上端に設けられた挟み部で電球を挟むときに、そのシェードと一緒に逃げないようにして、電球を挟み込むことができるようにした電球交換用シェード保持具を提供することを目的としてなされたものである。
【課題を解決するための手段】
【００１０】
この発明の電球交換用シェード保持具は、長尺の操作体１と、この操作体１の上端に設けられる保持アーム２を備え、この保持アーム２は、電球ＢのシェードＳを、弾力を付与させるようにして保持すると共に、保持アーム２の操作線条３により、前記操作体１の下端側からの遠隔操作によって、前記付与させた弾力を解放できるようにしたものとしている。
【００１１】
この発明の電球交換用シェード保持具において、前記保持アーム２は、放射状に配置された複数本のそれぞれのアーム体２ａの上端部に保持部材６を設け、これらアーム体２ａに前記弾力を付与する弾力付与機構７を、これらアーム体２ａの下端部に設けたものとしている。
【００１２】
この発明の電球交換用シェード保持具において、前記保持部材６は、押え部６ａと支え部６ｂにより略Ｌ字状に形成され、前記アーム体２ａの上端部に揺動自在として設けられ、押え部６ａと支え部６ｂの間に位置する窪み部１０に前記シェードＳの下周端部Ｓａを入り込ませるようにしており、前記保持アーム２に弾力を付与させたときは、前記押え部６ａが前記シェードＳの下周壁部Ｓｂを押圧するようにし、前記保持アーム２に付与させた弾力を解放したときは、前記押え部６ａが前記シェードＳの下周壁部Ｓｂから離間するようにしている。
【００１３】
この発明の電球交換用シェード保持具において、前記弾力付与機構７は、ベース体１２、スライド体１３、スライドコア１４を備え、ベース本体１２が操作体１の上端に固着され、このベース体１２の上端にスライド体１３が固着され、このスライド体１３にスライドコア１４が上方向に常にバネ付勢された状態で、上下に摺動自在として取り付けられ、スライド体１３の上端に前記複数のアーム体２ａの下端を、これらアーム体２ａが放射状に開放するようにして軸支し、前記複数のアーム体２ａの中間部にリンク４の一端をそれぞれ軸支し、これらリンク４の他端を前記スライドコア１４の側周壁にそれぞれ軸支したものとしている。
【００１４】
さらに、この発明の電球交換用シェード保持具は、前記スライド体１３を略半円筒体１８とし、この略半円筒体１８の側周壁の内面１８ｂを、電球交換具Ｅの操作棒３１のスライド溝としている。
【発明の効果】
【００１５】
この発明の電球交換用シェード保持具は、以上に述べたように構成されており、電球に被せられたシェードが建物の梁や桁などから吊り下げられた電灯用コードやチェーンなどに取り付けられている場合に、その電球のシェードを動かないように保持し、電球交換具の操作棒の上端に設けられた挟み部で電球を挟むときに、そのシェードと一緒に逃げないようにして、電球を挟み込むことができるようにしたので、その電球を容易に交換することができるものとなる。
【００１６】
さらに、この発明の電球交換用シェード保持具は、電球交換具を使用して電球交換すれば、高所作業台を組立設置したり、高所作業車を現場に導入する必要はまったくなく、電球交換するのに広い場所が不要で、しかも作業時間もかかることがないので、高額な人件費や設備費の負担はないものとなる。
【図面の簡単な説明】
【００１７】
【図１】この発明の電球交換用シェード保持具の操作体の一部を省略して示す全体図である。
【図２】この発明の電球交換用シェード保持具の操作体の上端と、この上端に設けられた保持アームを示す説明図である。
【図３】この発明の電球交換用シェード保持具の保持アームの分解斜視図である。
【図４】この発明の電球交換用シェード保持具の保持アームの組立斜視図である。
【図５】この発明の電球交換用シェード保持具の保持アームの上端部に設けられた保持部材の一部拡大図である。
【図６】この発明の電球交換用シェード保持具の保持アームの弾力付与機構の分解斜視図である。
【図７】この発明の電球交換用シェード保持具によってシェードを保持しつつある状態を示す斜視図である。
【図８】この発明の電球交換用シェード保持具によってシェードを保持し、電球交換具によって電球を外した状態を示す説明図である。
【図９】建物の梁や桁などから吊り下げられたチェーンに取り付けられている電球に、電球交換具を近付けた状態を示す説明図である。
【発明を実施するための形態】
【００１８】
以下、この発明の電球交換用シェード保持具の実施の形態を、図面に基づいて詳細に説明する。
【００１９】
この発明の電球交換用シェード保持具は、長尺の操作体１と、この操作体１の上端に設けられる保持アーム２を備えたものとしている。
【００２０】
操作体１は、使用者が手に持った状態で、建物の梁や桁などから吊り下げられた電灯用コードやチェーンなどに取り付けられているシェードＳに、前記保持アーム２が届く長さにしており、一本ものとしたり、複数の短棒や短管を継手などによって連結したものとしたり、複数の繰出し管より構成して伸縮自在としたものなどとすることができる。
【００２１】
保持アーム２は、電球ＢのシェードＳを、弾力を付与させるようにして保持すると共に、保持アーム２の操作線条３により、前記操作体１の下端側からの遠隔操作によって、前記付与させた弾力を解放できるようにしたものとしている。操作線条３は、図示したものは、その一端を、保持アーム２のアーム体２ａに連結したものとしているが、このアーム体２ａに軸支されたリンク４に連結したものとしてもよい。この操作線条３は、不操作時にはリール５などに巻き取られたものとし、操作時にこのリール５から繰り出せるようにしている。そして、操作時には、リール５から繰り出した操作線条３を操作体１の下端側から引くことにより、遠隔操作できるようにしている。
【００２２】
さらに、保持アーム２は、放射状に配置された複数本のアーム体２ａからなり、これら放射状に配置された複数本のそれぞれのアーム体２ａの上端部に保持部材６を設け、これらアーム体２ａに前記弾力を付与する弾力付与機構７を、これらの下端部に設けたものとしている。なお、図示したアーム体２ａは、三本にしているが、複数本であれば特に限定されることはなく、二本にしても、四本以上にしてもよい。
【００２３】
保持部材６は、一枚ものまたは二枚重ねにした板状体からなり、押え部６ａと支え部６ｂにより略Ｌ字状に形成され、内壁にはゴムなどの滑止め体８を取り付け、前記アーム体２ａの上端部に軸支することにより略Ｌ字状の角部９の上部を中心として揺動自在として設けられている。そして、この保持部材６は、押え部６ａと支え部６ｂの間に位置する窪み部１０に前記シェードＳの下周端部Ｓａを入り込ませるようにしており、前記アーム体２ａに弾力を付与させたときは、前記押え部６ａが前記シェードＳの下周壁部Ｓｂを押圧することにより、このシェードＳを保持するようにし、前記アーム体２ａに付与させた弾力を解放したときは、前記押え部６ａが前記シェードＳの下周壁部Ｓｂから離間して、このシェードＳが保持されなくなるようにしている。なお、保持部材６の押え部６ａが前記シェードＳの下周壁部Ｓｂを押圧する際には、保持部材６の内部に設けられて、アーム体２ａの上端を弾発するバネ体１１によって、弾力を付与しながら押圧することにより、前記シェードＳの下周壁部Ｓｂをより保持し易くしている。
【００２４】
弾力付与機構７は、ベース体１２、スライド体１３、スライドコア１４を備え、ベース体１２が操作体１の上端に固着され、このベース体１２の上端にスライド体１３が固着され、このスライド体１３にスライドコア１４が上方向に常にバネ付勢された状態で、上下に摺動自在として取り付けられている。
【００２５】
ベース体１２は、円筒体１５の上端に傾斜板１６を固着し、この傾斜板１６に前記スライド体１３を固着することにより、スライド体１３が操作体１の軸線方向に１０〜２０度の角度をつけて、傾斜するようにしたものとしている。なお、傾斜板１６には、前記スライド体１２を固着するための複数の固着板１７が放射状に位置するようにして突設されている。
【００２６】
スライド体１３は、略半円筒体１８とし、この略半円筒体１８の側周壁の外面１８ａに複数のウイング体１９を放射状に突設し、これらウイング体１９にはそれぞれスライド溝１９ａが設けられている。また、スライド体１３は、略半円筒体１８の側周壁の内面１８ｂを、電球交換具Ｅの操作棒３１のスライド溝としている。さらに、前記スライド体１３の下端に位置するウイング体１９のスライド溝１９ａには、前記ベース体１２の傾斜板１６に突設された固着板１７が差し込まれ、両者をビス止めすることにより、前記したようにベース体１２の上端にスライド体１３が固着されている。
【００２７】
スライドコア１４は、略半円筒体２０の側周壁の外面２０ａに複数の外リブ体２１を放射状に突設し、その側周壁の内面２０ｂに複数の内リブ体２２を放射状に突設している。そして、このスライドコア１４の複数の内リブ体２２が、それぞれスライド体１３のウイング体１９のスライド溝１９ａにそれぞれ差し込まれて、前記したようにスライド体１３にスライドコア１４が摺動自在として取り付けられている。また、スライドコア１４の側周壁の下端には、このスライドコア１４が上方向に常にバネ付勢された状態にしておくためのコイルバネ２３の下端の掛止溝２４が設けられている。
【００２８】
さらに、スライドコア１４がスライド体１３の上端から抜けないように、スライド体１３の上端は、止板２５で塞がれている。また、この止板２５には、スライドコア１４が上方向に常にバネ付勢された状態にしておくための前記コイルバネ２３の上端の掛止孔２６が設けられている。
【００２９】
そして、この発明の電球交換用シェード保持具において、前記スライド体１３の上端は、複数のアーム体２ａの下端を、これらアーム体２ａが放射状に開放するようにして軸支し、複数のアーム体２ａの中間部に前記リンク４の一端をそれぞれ軸支し、これらリンク４の他端をスライドコア１４の側周壁の外面２０ａに突設した外リブ体２１にそれぞれ軸支し、これらアーム体２ａ、リンク４、およびスライド体１３を摺動するスライドコア１４によって、スライダ・クランク機構を構成したものとしている。
【００３０】
さらに、スライド体１３の止板２５の掛止孔２６には、コイルバネ２３の上端が掛止され、スライドコア１４の側周壁の下端の掛止溝２４には、コイルバネ２３の下端が掛止されることにより、前記スライド体１３にスライドコア１４が上方向に常にバネ付勢された状態で、上下に摺動自在として取り付けられている。
【００３１】
以上のように構成したこの発明の電球交換用シェード保持具は、天井などに配置された電球に被せられたシェードが建物の梁や桁などから吊り下げられた電灯用コードやチェーンなどに取り付けられている場合には、次のようにして使用する。
【００３２】
先ず、操作体１の下端を手に握り、操作線条３をリール５から繰り出した状態にし、保持アーム２をシェードＳの下周端部Ｓａに近付ける。そして、リール５から繰り出した線条３を操作体１の下端側から引く。すると、保持アーム２のそれぞれのアーム体２ａは、スライド本体１３の上端との軸支点を中心に下方に回動するので、図７に示したように、放射状に開放する。これらアーム体２ａの開放によって、リンク４もアーム体２ａの中間部との軸支点を中心に下方に回動し、このリンク４の回動によりコイルバネ２３の弾力に打ち勝って、スライドコア１４が押し下げられ、このスライドコア１４がスライド本体１３を下方に摺動する。
【００３３】
次に、前記操作体１の下端側から線条３を引いた力を開放すると、前記コイルバネ２３の弾力で、スライドコア１４が引き上げられて、このスライドコア１４がスライド本体１３を上方に摺動する。すると、開放状態にあったそれぞれのアーム体２ａは、図８に示したように、閉鎖状態となり、シェードＳの下周端部Ｓａが保持部材６の窪み部９に入り込み、シェードＳの下周壁部Ｓｂが保持部材６の押え部６ａに押圧されて、シェードＳが保持部材６に保持される。
【００３４】
この状態で、手に持った操作体１を動かないようにしておくことにより、保持部材６に保持されたシェードＳも動かないように保持しておくことができる。そして、電球交換具Ｅの操作棒３１の下端を手に握り、その挟み部３２をシェードＳ内の電球Ｂの真下に近付け、この電球Ｂを挟み込む。次に、操作棒３１を回転させて、この電球Ｂを外し、手元に引き寄せ、挟み部３２から取り去る。そして、新しい電球Ｂをその挟み部３２に挟み込み、元の位置に戻し、再び操作棒３１を回転させながら、この新しい電球ＢをシェードＳ内に取り付ける。
【００３５】
そこで、リール５から繰り出した線条３を、再び操作体１の下端側から引く。すると、保持アーム２のそれぞれのアーム体２ａは、前記したのと同様に軸支点を中心に下方に回動するので、図７に示したように、再び放射状に開放する。そして、この状態で操作体１を手元に引き寄せることにより、保持部材６をシェードＳから取り外せば、電球の交換作業が一通り終了する。
【００３６】
この場合、スライド体１３が操作体１の軸線方向に１０〜２０度の角度をつけて、傾斜したものとしているので、スライド体１３をシェードＳの下で真っ直ぐにすると、操作体１が軸線方向に１０〜２０度の角度で傾くことになり、シェードＳの真下から近付けた電球交換具Ｅの操作棒３１とが重なり合うことがなくなり、これら操作体１および操作棒３１どうしが邪魔し合うようなことはない。
【００３７】
また、前記電球交換具Ｅの操作棒３１は、スライド体１３の略半円筒体１８の側周壁の内面１８ｂを摺動させて、その挟み部３２をシェードＳ内の電球Ｂの真下に近付けるようにすれば、シェードＳの中心位置と電球Ｂの中心位置が合致し、その操作が非常に行い易いものとなる。
【００３８】
以上に述べた通り、この発明の電球交換用シェード保持具は、電球Ｂに被せられたシェードＳが建物の梁や桁などから吊り下げられた電灯用コードやチェーンなどに取り付けられている場合に、その電球ＢのシェードＳを動かないように保持することができ、電球交換具Ｅの操作棒３１の上端に設けられた挟み部３２で電球Ｂを挟むときには、そのシェードＳと一緒に逃げないようにして、電球Ｂを挟み込むことができるので、その電球Ｂを容易に交換することができるものとなる。
【００３９】
さらに、この発明の電球交換用シェード保持具は、従来の電球交換具Ｅを使用して電球交換すれば、高所作業台を組立設置したり、高所作業車を現場に導入する必要はまったくなく、電球交換するのに広い場所が不要で、しかも作業時間もかかることがないので、高額な人件費や設備費の負担はないものとなる。
【符号の説明】
【００４０】
１  操作体
２  保持アーム
２ａ  アーム体
３  操作線条
４  リンク
６  保持部材
６ａ  押え部
６ｂ  支え部
７  弾力付与機構
１０  窪み部
１２  ベース体
１３  スライド体
１４  スライドコア
Ｂ  電球
Ｓ  シェード
Ｓａ  下周端部
Ｓｂ  下周壁部
【図１】
2010251240.tif 000003
【図２】
2010251240.tif 000004
【図３】
2010251240.tif 000005
【図４】
2010251240.tif 000006
【図５】
2010251240.tif 000007
【図６】
2010251240.tif 000008
【図７】
2010251240.tif 000009
【図８】
2010251240.tif 000010
【図９】
2010251240.tif 000011